(57)【要約】【課題】異物の挿入を防止するディスク再生装置を提供する。【解決手段】挿入時、ディスクの縁部が当接すると一対のレバー６ａ，６ｂが回動し、連動してストッパ８ａ，８ｂがシャッタ４の開閉軌跡上から退避してシャッタ４が開閉可能になるので、ディスクが挿入口３から挿入できる。ディスクとは形状または大きさが異なる異物は、レバー６ａ，６ｂ両方に当接できないので、ストッパ８ａ，８ｂのいずれか一方は開閉軌跡上に残り、シャッタ４が開かず挿入できない。【選択図】図２
2013065383.tif 000002
【特許請求の範囲】
【請求項１】
シャーシの内側に回転自在に保持され、当該シャーシに形成したディスクの挿入口を開閉するシャッタと、
前記シャッタより外側の前記挿入口に配置され、互いに接近する方向に付勢された状態で前記ディスクの縁部に当接して回動し、さらに当該縁部に押圧されて互いに離間する方向へ移動する一対のレバーと、
前記シャッタの開閉軌跡上に配置され、前記レバーの回動に連動して当該開閉軌跡の外へ退避する一対のストッパとを備えるディスク再生装置。
【請求項２】
ディスクの挿入口に対向するシャッタ面が中央部へ向かうにつれて凹んだ形状に形成されたことを特徴とする請求項１記載のディスク再生装置。
【発明の詳細な説明】
【技術分野】
【０００１】
この発明は、ディスク以外の異物が装置内に挿入されることを防止するディスク再生装置に関するものである。
【背景技術】
【０００２】
ディスク再生装置への異物の挿入を防止する従来例として、例えば特許文献１に係るディスクプレーヤがある。このディスクプレーヤは、ディスク装填口から挿入されたディスクに接触する接触ガイド部と、この接触ガイド部よりも奥側に位置するストッパ部とがシャーシ上板の下面に設けられており、これら接触ガイド部とストッパ部の間に搬送ローラが移動可能に支持されている。そして、ディスク装填口と接触ガイド部とに接しながら進むディスクの進行方向上に搬送ローラの周面が位置し、ストッパ部はディスクの進行方向外の箇所で周面の接線のうち接触ガイド部を通る接線の方向に対応する箇所に位置する。
そのため、ディスクは、ディスク装填口と接触ガイド部とに接しながら進み、挿入途中で搬送ローラの周面に接し、この搬送ローラを押圧して幾分場所を移動させた状態で搬送される。一方、ディスクに比べて柔らかくたわみやすいテレフォンカード等の異物は、搬送ローラの周面に接するとたわむので、搬送ローラが移動しない。よって、異物はストッパ部に向かって進み、ストッパ部に当たって搬送が阻止されることになる。
【先行技術文献】
【特許文献】
【０００３】
【特許文献１】特開２００４−１７８７２３号公報
【発明の概要】
【発明が解決しようとする課題】
【０００４】
上記特許文献１に係るディスクプレーヤは以上のように構成されているので、クレジットカードのようなたわみにくい材質のカード、または硬貨等の異物が挿入された場合、ストッパ部に当たらずに装置内に搬送される。この異物が搬送ローラから脱落して装置内に落下すると排出できなくなるという課題があった。また、装置内に落下した異物が動作不良を引き起こすという課題もあった。
【０００５】
この発明は、上記のような課題を解決するためになされたもので、異物の挿入を防止するディスク再生装置を提供することを目的とする。
【課題を解決するための手段】
【０００６】
この発明に係るディスク再生装置は、シャーシの内側に回転自在に保持され、当該シャーシに形成したディスクの挿入口を開閉するシャッタと、シャッタより外側の挿入口に配置され、互いに接近する方向に付勢された状態でディスクの縁部に当接して回動し、さらに当該縁部に押圧されて互いに離間する方向へ移動する一対のレバーと、シャッタの開閉軌跡上に配置され、レバーの回動に連動して当該開閉軌跡の外へ退避する一対のストッパとを備えるものである。
【発明の効果】
【０００７】
この発明によれば、シャッタの開閉軌跡上に配置された一対のストッパがシャッタに当接して開き量を規制し、一対のレバーがディスクの縁部に当接して回動するとその回動に連動して一対のストッパが開閉軌跡上から退避してシャッタを開くようにしたので、一対のレバーに当接しない形状の異物は、ストッパを開閉軌跡上から退避させてシャッタを開くことができない。よって、異物の挿入を防止することができる。
【図面の簡単な説明】
【０００８】
【図１】この発明の実施の形態１に係るディスク再生装置を示す外観斜視図である。
【図２】実施の形態１に係るディスク再生装置のシャッタとレバーの構成を示す斜視図である。
【図３】実施の形態１に係るディスク再生装置のレバーの構成を示す外観斜視図である。
【図４】実施の形態１に係るディスク再生装置の内部構造を示す平面図である。
【図５】実施の形態１に係るディスク再生装置の内部構造を示す側面図である。
【図６】実施の形態１に係るディスク再生装置のシャッタの構成を示し、図６（ａ）は外観斜視図、図６（ｂ）は矢印方向から見た平面図である。
【図７】実施の形態１に係るディスク再生装置に異物を挿入しようとする場合を示し、図７（ａ）は平面図、図７（ｂ）は側面図である。
【図８】実施の形態１に係るディスク再生装置においてディスクが一対のレバーに当接した状態を示し、図８（ａ）は平面図、図８（ｂ）は側面図である。
【図９】実施の形態１に係るディスク再生装置においてディスクが一対のレバーを押圧した状態を示し、図９（ａ）は平面図、図９（ｂ）は側面図である。
【図１０】実施の形態１に係るディスク再生装置においてディスクがターンテーブルに搬送された状態を示し、図１０（ａ）は平面図、図１０（ｂ）は側面図である。
【発明を実施するための形態】
【０００９】
実施の形態１．
図１および図２の斜視図に示すように、ディスク再生装置１は、シャーシ２の前面に、ＣＤ（Ｃｏｍｐａｃｔ  Ｄｉｓｃ）およびＤＶＤ（Ｄｉｇｉｔａｌ  Ｖｅｒｓａｔｉｌｅ  Ｄｉｓｃ）などのディスクを挿脱する挿入口３が形成されている。そして、この挿入口３を開閉するシャッタ４が、シャーシ２の内側に回転自在に保持され、さらに、挿入口３の方向へトーションバネ５等の付勢部材により付勢されている。また、このシャッタ４の開閉を規制する一対のレバー６ａ，６ｂが設けられている。
【００１０】
図３はレバー６ａの拡大図である。図４はディスク再生装置１の平面図であり、シャーシ２の天面の図示を省略して内部構造を示す。
シャッタ４の外側に配置されるレバー６ａは、別体の回動軸１０ａに遊嵌されて回転自在な状態になっており、さらに、バネ等の付勢部材（不図示）によって矢印Ａの方向へ付勢されている。このレバー６ａから延びた連結部７ａがシャッタ４の下を通って裏側へ続き、ストッパ８ａが形成されている。シャッタ４の内側に配置されるストッパ８ａには、シャーシ２の底面に設けられたカム溝１３ａと係合するためのカムピン９ａが形成されている。スライド部材１１ａには、レバー６ａとこれに一体化した連結部７ａ、ストッパ８ａおよびカムピン９ａを回転自在に保持するための回動軸１０ａが突設されている。また、コイルバネ１２ａの一端がスライド部材１１ａに、コイルバネ１２ａの他端がシャーシ２に取り付けられて、スライド部材１１ａを矢印Ｂの方向へ付勢している。
【００１１】
レバー６ｂもレバー６ａと同様に、連結部７ｂ、ストッパ８ｂおよびカムピン９ｂが一体的に形成され、別体のスライド部材１１ｂの回動軸１０ｂに回転自在に遊嵌されて付勢部材（不図示）によって矢印Ａの方向へ付勢されている。また、スライド部材１１ｂはコイルバネ１２ｂによって矢印Ｂの方向へ付勢されている。
なお、図４ではスライド部材１１ａ，１１ｂ、およびコイルバネ１２ａ，１２ｂの図示を省略している。同様に、図５以降でもスライド部材１１ａ，１１ｂおよびコイルバネ１２ａ，１２ｂの図示を適宜省略する。
【００１２】
図５は、ディスク再生装置１の側面図であり、シャーシ２を切断して内部構造を示す。
図４および図５に示すように、シャーシ２の底面には、カムピン９ａ，９ｂと係合する一対のカム溝１３ａ，１３ｂが設けられている。これらカム溝１３ａ，１３ｂは、ストッパ８ａ，８ｂをシャーシ２の奥側へ退避させるための退避用溝１４ａ，１４ｂと、スライド部材１１ａ，１１ｂをスライド移動させるための、挿入口３の長手方向と平行に伸びたスライド用溝１５ａ，１５ｂとから構成されている。
また、シャーシ２の内部には搬送ローラ１６が回転自在に保持されており、搬送ローラ１６がディスク１００を載せて回転することにより、ディスク挿入動作時にディスク１００を挿入口３からシャーシ２内のターンテーブル（不図示）へ搬送し、ディスク排出動作時にターンテーブルから挿入口３へ搬送する。このとき、シャーシ２の天面内側に設けられたディスクガイド部品１７が、搬送ローラ１６との間にディスク１００を挟むようにしてガイドする。
【００１３】
図６（ａ）はシャッタ４の外観斜視図であり、図中の矢印方向から見た状態を図６（ｂ）に示す。シャッタ４の外側を向いた面、即ち挿入口３から挿入されたディスク１００が当接するディスク当接面１８は、図６（ｂ）に示すように中央部が凹んだテーパ形状（またはお椀形状）になっている。また、シャッタ４が挿入口３を閉じた状態のときにレバー６ａ，６ｂが当たらないよう、ディスク当接面１８に凹部１９ａ，１９ｂが形成されている。
【００１４】
次に、ディスク再生装置１の動作を説明する。
ディスク１００が挿入される前の初期状態では、図４および図５に示すように、トーションバネ５の付勢によりシャッタ４が挿入口３を閉じている。また、コイルバネ１２ａ，１２ｂがスライド部材１１ａ，１１ｂを互いに接近する方向（矢印Ｂ）に付勢しているので、カムピン９ａ，９ｂがカム溝１３ａ，１３ｂの中央側端部に位置し、レバー６ａ，６ｂが挿入口３の中央付近に位置している。
【００１５】
このとき、レバー６ａ，６ｂと一体に形成されたストッパ８ａ，８ｂは、シャッタ４の開閉軌跡（図５の矢印Ｃ）上に位置している。よって、挿入口３を開く方向へシャッタ４が回転しようとしても、ストッパ８ａ，８ｂに当接して開動作が規制される。シャッタ４がストッパ８ａ，８ｂに当接した状態を、図７（ａ）の平面図および図７（ｂ）の側面図に示す。
例えば、図７（ａ）に示すように、ディスク１００より外径の小さい硬貨１０１を挿入しようとした場合、この硬貨１０１はレバー６ａ，６ｂのいずれか一方にしか当接できないので、ストッパ８ａ，８ｂのいずれか一方がシャッタ４の開閉軌跡上に存在する。よって、図７（ｂ）に示すように、シャッタ４がストッパ８ａ，８ｂのいずれか一方に当接して開かず、硬貨１０１の挿入が阻止される。
また例えば、ディスク１００のような円形でなく方形のカード１０２をその角部から挿入しようとした場合、角部先端がレバー６ａ，６ｂに接触せずにその間を通過して、先ずシャッタ４に当接する。よって、レバー６ａ，６ｂが回動せずストッパ８ａ，８ｂがシャッタ４の開閉軌跡上に存在するので、シャッタ４が開かずカード１０２の挿入が阻止される。
さらに、トーションバネ５の付勢力によってシャッタ４が挿入口３を閉じる方向へ回転して、硬貨１０１およびカード１０２などの異物をシャーシ２外へ押し出す。
【００１６】
図８（ａ），（ｂ）は、ディスク１００がレバー６ａ，６ｂに当接した状態を示す平面図と側面図である。
挿入口３にディスク１００を挿入しようとすると、ディスク１００の縁部が先ずレバー６ａ，６ｂに当接して、レバー６ａ，６ｂが回動軸１０ａ，１０ｂを中心に矢印Ａ’の方向へ回動する。そして、レバー６ａ，６ｂの回動に連動して、カムピン９ａ，９ｂが初期位置から退避用溝１４ａ，１４ｂへ移動し、ストッパ８ａ，８ｂがシャッタ４の開閉軌跡の外へ退避する。これにより、シャッタ４が開閉可能な状態となる。
【００１７】
図９（ａ），（ｂ）は、ディスク１００がレバー６ａ，６ｂを押圧した状態を示す平面図と側面図である。
シャッタ４が開閉可能な状態になると、ディスク１００がシャッタ４を押し開きながら、挿入口３からシャーシ２の内部へ進入する。このとき、ディスク１００の縁部が、コイルバネ１２ａ，１２ｂの付勢力に抗して矢印Ｂ’の方向へレバー６ａ，６ｂを押圧するので、レバー６ａ，６ｂと一体のカムピン９ａ，９ｂがスライド用溝１５ａ，１５ｂに沿ってスライド移動し、レバー６ａ，６ｂが互いに離間する方向へ移動する。レバー６ａ，６ｂを押し広げながらシャーシ２の内部へ進入したディスク１００は、搬送ローラ１６に載り、搬送ローラ１６の回転によりターンテーブルへと搬送される。
搬送中、ディスク１００がシャッタ４のディスク当接面１８に接触した状態になるが、ディスク当接面１８をテーパ形状またはお椀形状にしてディスク１００のエッジと接触させることにより、ディスク１００の傷付きを防止できる。
【００１８】
一方、円形のディスク１００ではなく方形のカード１０２をその辺部から挿入しようとした場合、図８（ａ）に示すように、辺部がレバー６ａ，６ｂの両方に当接してストッパ８ａ，８ｂがシャッタ４の開閉軌跡の外へ退避したとしても、レバー６ａ，６ｂを押し広げることができないので挿入できない。
【００１９】
図１０（ａ），（ｂ）は、ディスク１００がシャーシ２内のターンテーブル（不図示）へ搬送された状態を示す平面図と側面図である。
ディスク１００全体がシャーシ２内に搬送されてターンテーブルに載置されると、レバー６ａ，６ｂはコイルバネ１２ａ，１２ｂの付勢力により互いに接近する方向に移動して初期位置に戻る。また、ディスク再生装置１がディスク１００の再生動作を行っている間、保持部材２０がシャッタ４の姿勢を保持して、挿入口３を開いた状態に保持する。
【００２０】
この保持部材２０は、ディスク１００が未挿入の状態のときシャーシ２内の奥側へ後退した位置にあり、ディスク１００の搬送が完了するとシャーシ２内の奥側から手前側へ前進して、図１０に示すように挿入口３の周辺でシャッタ４を押し開いた状態に保持する。また、保持部材２０は、ディスク１００の排出時にシャーシ２内の手前側から奥側へ後退して、シャッタ４の保持を解除する。
保持部材２０の駆動機構としては周知の技術を用いればよく、例えば、特開２００７−２５７７９５号公報のようにシャーシ２内の奥側にディスク１００の搬送完了を検知する回動レバー（不図示）と、ギアユニット（不図示）とを設ける。ターンテーブルまで搬送されたディスク１００の縁部が回動レバーの一端を押動すると、この回動レバーの他端が保持部材２０を押し込んでギアユニットに噛合させ、ギアユニットの回転により保持部材２０が前進する。
【００２１】
他方、ディスク１００を排出する場合、搬送ローラ１６が逆回転してディスク１００を挿入口３の方向へ搬送すると共に、保持部材２０がシャーシ２内の手前側から奥側へ後退する。保持部材２０から外れたシャッタ４は、トーションバネ５の付勢力によって挿入口３を閉じる方向へ回転して、排出中のディスク１００に載った状態となる。
また、ディスク１００の縁部がレバー６ａ，６ｂを押し開くので、連動してカムピン９ａ，９ｂがスライド用溝１５ａ，１５ｂに沿ってスライド移動し、レバー６ａ，６ｂが互いに離間する方向へ移動して、ディスク１００が挿入口３から排出可能となる。
そして、ディスク１００が先ずシャッタ４から離れ、次いでレバー６ａ，６ｂから離れるので、カムピン９ａ，９ｂが退避用溝１４ａ，１４ｂから初期位置に戻るより前に、即ちストッパ８ａ，８ｂがシャッタ４の開閉軌跡上に移動するより前に、シャッタ４が閉じる。
【００２２】
なお、上記説明ではディスク再生装置１の再生動作中にシャッタ４を開いた状態にしたが、これに限定されるものではなく、再生動作中はシャッタ４を閉じ、排出動作時にシャッタ４を開けてもよい。また、シャッタ４の姿勢を保持する手段は保持部材２０に限定されるものではなく、少なくともディスク排出時にシャッタ４を開いた状態にすることができればよい。
【００２３】
以上より、実施の形態１によれば、ディスク再生装置１は、シャーシ２の内側に回転自在に保持されて挿入口３を開閉するシャッタ４と、シャッタ４より外側の挿入口３に配置され、互いに接近する方向（矢印Ｂ）に付勢された状態でディスク１００の縁部に当接して回動し、さらに押圧されて互いに離間する方向（矢印Ｂ’）へ移動する一対のレバー６ａ，６ｂと、シャッタ４の開閉軌跡上（矢印Ｃ）に配置され、レバー６ａ，６ｂの回動に連動してこの開閉軌跡の外へ退避する一対のストッパ８ａ，８ｂとを備えるように構成した。このため、ディスク１００と同じ円形であるが大きさの小さい硬貨１０１等の異物はレバー６ａ，６ｂ両方に当接することができず、ストッパ８ａ，８ｂを開閉軌跡上から退避させることができないので、シャッタ４を開けることができない。また、ディスク１００とは形状の異なるカード１０２等の異物は、レバー６ａ，６ｂ両方に当接することができたとしても離間方向へスライドさせることができないので、レバー６ａ，６ｂに挿入を阻止される。よって、異物の挿入を防止したディスク再生装置１を提供することができる。
【００２４】
また、実施の形態１によれば、ディスク再生装置１は、ディスク１００の挿入口３に対向するシャッタ４のディスク当接面１８を、中央部に向かうにつれて凹んだ形状に形成したので、搬送時にディスク１００とディスク当接面１８がエッジ接触するようになる。よって、シャッタ４を押し開いた状態でディスク１００を搬送しても、ディスク１００が傷付かない。
【００２５】
なお、本願発明はその発明の範囲内において、実施の形態の任意の構成要素の変形、もしくは実施の形態の任意の構成要素の省略が可能である。
【符号の説明】
【００２６】
１  ディスク再生装置、２  シャーシ、３  挿入口、４  シャッタ、５  トーションバネ、６ａ，６ｂ  レバー、７ａ，７ｂ  連結部、８ａ，８ｂ  ストッパ、９ａ，９ｂ  カムピン、１０ａ，１０ｂ  回動軸、１１ａ，１１ｂ  スライド部材、１２ａ，１２ｂ  コイルバネ、１３ａ，１３ｂ  カム溝、１４ａ，１４ｂ  退避用溝、１５ａ，１５ｂ  スライド用溝、１６  搬送ローラ、１７  ディスクガイド部品、１８  ディスク当接面、１９ａ，１９ｂ  凹部、２０  保持部材、１００  ディスク、１０１  硬貨、１０２  カード。
【図１】
2013065383.tif 000003
【図２】
2013065383.tif 000004
【図３】
2013065383.tif 000005
【図４】
2013065383.tif 000006
【図５】
2013065383.tif 000007
【図６】
2013065383.tif 000008
【図７】
2013065383.tif 000009
【図８】
2013065383.tif 000010
【図９】
2013065383.tif 000011
【図１０】
2013065383.tif 000012